(57)【要約】      （修正有）【課題】発電施設において、風道に設けられて熱排気の排出先を切換えるダンパーを１箇所として補機レス化、簡素化を進めるとともに、切換えの作業を安全且つ容易で最小限のものとする熱排気装置を提供する。【解決手段】順方向の風に対しては風力により開放し、逆方向の風に対しては風力により閉鎖する同一の風力ダンパー１４を反転可能に設置する。熱排気を屋外に排出するときと、屋内に導入するときとで風力ダンパー１４の向きを反転して切換える。また、風力ダンパー１４を反転させる反転軸２２は、発電機１の稼動中でもその風力の影響を受けずに反転させるために風力ダンパー１４の略中心に設ける。【選択図】図１
0003145540.tif 000002
【実用新案登録請求の範囲】
【請求項１】
筐体内に冷却ファンを内蔵した発電機に排気用の風道を接続し、前記冷却ファンで吸入した空気と発電機とで熱交換をして発電機を冷却し、この熱交換した空気を、前記風道を介して排出するようにした発電施設において、前記風道の排気経路上に風力ダンパーを反転軸によって表裏を反転可能に設置し、この風力ダンパーを反転させることにより通風方向を切換えて排気先を建屋の外と内に切換え可能としたことを特徴とする発電施設の熱排気装置。
【請求項２】
風力ダンパーを反転させる反転軸は、風力ダンパーの中心に固着したことを特徴とする請求項１記載の発電施設の熱排気装置。
【請求項３】
風道の外部に突出させた反転軸の先端に風力ダンパーの反転操作を行うハンドルを設けたことを特徴とする請求項１又は２記載の発電施設の熱排気装置。
【請求項４】
風力ダンパーを、発電機側から風道側への通風を遮断するように反転させた場合には、発電機に設けられた開口を開放して、熱排気を建屋内に放出することを特徴とする請求項１、２又は３記載の発電施設の熱排気装置。
【考案の詳細な説明】
【技術分野】
【０００１】
本考案は、発電所内の発電機から発生した熱を排出するための風道に設けられ、外気温に応じて風道の開閉や熱排気の風向の制御を行う発電施設の熱排気装置に関するものである。
【背景技術】
【０００２】
発電所などの発電施設に設置されている発電機は、その稼動に伴う発熱により例えば８０℃前後の高温となるが、冷却ファンで筐体内に取り込んだ空気と発電機とで熱交換をして発電機の冷却を行い、この熱交換した空気を風道へ送り、夏場などの季節には建屋の外へ排気している。従来、発電施設に設置される発電機は、ロータと一体に回転する冷却ファンとともに筐体に被覆され、発電機が稼動すると前記冷却ファンの回転により建屋内の空気を筐体内に取り込んで発電機を冷却した後、その熱排気を風道を介して外へ排出し、また、冬期間などに必要に応じて開閉ダンパーを制御して室内に導入するようにしたものが知られている。（特許文献１）。
【０００３】
さらに詳しくは、この特許文献１の装置は、図７に示すように、発電機１が収納された筐体４には、発熱個所に冷却風の取り込み口３１が設けられ、また熱排気を建屋８の外へ導出する風道５が接続され、風道５の途中にこの風道５を開閉する開閉ダンパー６が設けられ、建屋８から屋外に導出する部分の風道５に屋外からの風の逆流を防止するための風力ダンパー７が設けられている。前記開閉ダンパー６は、風道５の開口２９と風道５を開閉する蓋としての機能も有し、その一辺を風道５の壁面に設けられた開口２９の一辺に軸３０により回動自在に軸支されている。夏場など風道５の開放時には開口２９を閉鎖して発電機１からの熱排気を建屋８の外へ誘導する。冬場など風道５の閉鎖・調節時には、２枚の開閉ダンパー６のいずれか一方又は両方を風道５内で風力ダンパー７側又は開口２９側に回動させて風道５を閉鎖する度合いを調節し、開口２９から熱排気を建屋８内に放出する。
【０００４】
【特許文献１】実開平６−５８１７５号公報
【考案の開示】
【考案が解決しようとする課題】
【０００５】
上述の熱排気装置では、風道５の開閉を調節するのに、風力ダンパー７の他に開閉ダンパー６を必要とするという問題点があった。特に、開閉ダンパー６は風力ダンパー７を閉じて開口２９を開いたり、開口２９を閉じて風力ダンパー７を開いたりするために、開閉ダンパー６の開閉操作機構、開口２９の構造なども複雑になると言う問題点があった。また、開閉の切換えは、風道５内の熱排気の流れに抗して行わなければならないので、送風を停止、すなわち発電機１を停止しなければならない場合があった。
【０００６】
本考案は、上述のような問題点を解決するためになされたもので、開閉ダンパーを設置しなくても風道の開閉を行うことができ、また、発電機を停止しなくても開閉の切換えができる熱排気装置を提供することを目的とするものである。
【課題を解決するための手段】
【０００７】
本願の考案は、以上のような課題を解決するためになされたもので、
筐体内に冷却ファンを内蔵した発電機に排気用の風道を接続し、前記冷却ファンで吸入した空気と発電機とで熱交換をして発電機を冷却し、この熱交換した空気を、前記風道を介して排出するようにした発電施設において、前記風道の排気経路上に風力ダンパーを反転軸によって表裏を反転可能に設置し、この風力ダンパーを反転させることにより通風方向を切換えて排気先を建屋の外と内に切換え可能としたものである。
風力ダンパーを反転させる反転軸は、風力ダンパーの中心に固着し、風道の外部に突出させた反転軸の先端に設けたハンドルにより反転操作する。
【考案の効果】
【０００８】
本考案は、発電機から風道の排気経路上に、風力ダンパーを反転軸によって表裏を反転可能に設置し、この風力ダンパーを反転させることにより通風方向を切換えて排気先を建屋の外と内に切換えるようにしたので、従来の開閉ダンパーを不要とすることができ、風力ダンパーを反転させる反転軸を風力ダンパーの中心に固着すれば、発電機を停止しなくても風力ダンパーを反転させて開閉の切換えが可能となる。
【考案を実施するための最良の形態】
【０００９】
筐体内に冷却ファン内蔵した発電機に排気用の風道を接続し、前記冷却ファンで空気を吸入して発電機と熱交換して冷却し、この熱交換した熱風をこの風道を介して排出するようにした発電施設において、前記発電機から風道の排気経路上に、反転軸によって表裏を反転可能に設置された風力ダンパーを設け、この風力ダンパーを反転させることにより通風方向を切換えて排気先を建屋の外と内に切換え可能とし、風力ダンパーを反転させる反転軸は、風力ダンパーの中心に固着し、風道の外部に突出させた反転軸の先端に設けたハンドルにより反転操作する。
【実施例１】
【００１０】
本考案の実施例を図面に基づいて説明する。
図１及び図２は、発電機１及び本考案による熱排気装置の風力ダンパー１４を示す説明断面図である。上下の軸受で軸支された駆動軸２は、タービンなどの駆動源（図示せず）に結合され、この駆動軸２に輪状に配列されたロータ１１がボス１３を介して固着されている。このロータ１１を収納する筐体４内の内周縁部であってロータ１１の外周縁部に対峙する位置にステータ１２が設けられている。前記ロータ１１の上下の面には図３に示すような冷却ファン３が固着されている。
【００１１】
前記筐体４の上部の周囲数箇所には、空気取り入れ口１５が設けられている。また、筐体４の下部には、数箇所の点検口２７が設けられ、この点検口２７は人が入れる大きさで例えば６５００ｋＶＡの発電機１の場合、高さ１〜１．２ｍ、幅５０ｃｍ〜６０ｃｍの間口を有している。また、筐体４には風道５が接続され、この風道５は建屋８の外に導出され、風道５の建屋８内外の境界部分付近には本考案による風力ダンパー１４が、図４に示すように、横に３機並べて設置されている。
【００１２】
前記風力ダンパー１４は、空気の流通を一方向のみに制限するダンパーで、図５（ａ）に示すように、一方からの風力によってダンパー片３２が開放するが、他方からの風力では閉鎖する構造のものである。ダンパー片３２は、断面が略ヘの字型であって屈曲部からの両側の長さが異なる屈曲部で軸支し、通常は、上下の長辺側と短辺側の一部が重なるように配列して１個の風力ダンパー１４が構成され、無風状態では長辺側が垂下している。順方向の風力では、図５（ａ）に示すように、ダンパー片３２が開放し、逆方向の風力では閉鎖するようにしたものである。
【００１３】
この風力ダンパー１４は、図４及び図５に示すように、枠体１６に取り付けられ、この枠体１６の中央位置に垂直な円筒体３３が固着されている。また風道５の上下壁には、垂直な仕切壁１９が一体に固着され、これらの仕切壁１９に軸受１７、１８が設けられ、垂直な反転軸２２が、前記円筒体３３を貫通固着し、上下の軸受１７、１８で垂直に軸支され、風力ダンパー１４が水平方向に回転可能に設置されている。前記仕切壁１９には、前記枠体１６より僅かに大きな開口２０が設けられ、この開口２０に臨ませて風力ダンパー１４が取り付けられた枠体１６が取り付けられている。
【００１４】
また、枠体１６の上部には、図６に示すように、仕切壁１９に当接して枠体１６の位置決めをするストッパー２６、２７が設けられている。
ストッパー２６は、図６（ａ）に示すように、風力ダンパー１４を発電機１の筐体４側から風道５側へ通風する方向に反転させたときに、上部の仕切壁１９の屋外側に当接して枠体１６の位置決めをする。ストッパー２７は、図６（ｂ）に示すように、風力ダンパー１４を発電機１の筐体４側から屋外側への通風を遮断する方向に反転させたときに、仕切壁１９の発電機１側に当接して枠体１６の位置決めをする。
上部の仕切壁１９には、枠体１６を反転させるときに前記ストッパー２６が、図６（ｂ）に矢印で示すように通過するストッパー通過溝２１が設けられている。
前記反転軸２２の上部は、風道５の天井を貫通して突出し、上部の先端にハンドル２４が取り付けられている、
【００１５】
次に、以上の構成による作用を説明する。
発電機１の駆動軸２が駆動源（図示せず）により回転すると、駆動軸２に固着されたロータ１１が回転し、ロータ１１とステータ１２の間で発電が行われ、ステータ１２に電流が発生して発熱する。冷却ファン３はロータ１１とともに回転し、その遠心力で冷却ファン３の円周方向に向かって空気を付勢することにより空気を送り出し、それに伴って冷却ファン３の中央部分から空気が流入する。
冷却ファン３に流入する空気は、筐体４の上部に設けられた空気取り入れ口１５から供給され、図１及び図２中に矢印で示すように、ロータ１１及びステータ１２に接触して熱交換を行う経路を経て風道５に送出されて発電機１で発生した熱を筐体４から排出する。
【００１６】
夏場は、図６（ａ）に示すように、風力ダンパー１４を発電機１側から建屋８の外へ通風する方向に反転させて、発電機１からの熱排気を、風道５を介して建屋８の外に排出する。
冬場は、風力ダンパー１４を、発電機１の筐体４側から風道５側への通風を遮断する方向に反転させ、かつ発電機１の筐体４に設けられた開口２７を開放することにより、熱排気を建屋８内に放出する。
風力ダンパー１４は、風道５の天井から突出した反転軸２２に固着したハンドル２４を回転させることにより反転させることができる。反転させる場合、前記ストッパー２６又は２７が上部の仕切壁１９に当接することにより枠体１６が適正な位置となるように停止する。
冬場に熱排気を建屋８内に放出する場合、建屋８内の気温に応じて、通風を遮断する方向に反転させる風力ダンパー１４の数を調節することができる。例えば、３機の風力ダンパー１４のうち、３機全部を、通風を遮断する方向に反転させることもできるし、１機だけ或は２機を反転させることもできる。
【００１７】
以上の実施例では、風道５の建屋８の境界部分付近に、反転可能な風力ダンパー１４を設置するようにしたが、本願の考案はこれに限られるものではなく、発電機１の筐体４と風道５の接続部分から風道５の建屋８付近までの間にならどこに設置してもよい。
また、既設の施設を改修する場合は、既存の風力ダンパー７を反転可能に改修するようにしてもよい。
以上の実施例では、ダンパー片の断面が略ヘの字型と説明したが、本考案はこれに限られるものではなく、如何なる形状のものでもよい。
【００１８】
以上の実施例では、横型の発電機の例を示したが、本考案はこれに限られるものではなく、縦型の発電機であっても冷却ファンが内蔵された発電機であればどのような発電機でもよい。
以上の実施例では、冷却ファン３がロータ１１の上下の面に一体に固着された発電機１により説明したが、本考案はこれに限られるものではなく、発電機１と熱交換した空気を筐体４から排出する態様の発電機１であれば、如何なる発電機であってもよい。
【００１９】
以上の実施例では、風力ダンパー１４の反転軸２２の固着位置を中央としたが、反転軸２２の固着位置を中央よりややストッパー２６側にずらした位置とすることにより、風道５を遮断する場合に、風圧によって風力ダンパー１４を回動しないように抑える力を発生させることができる。
【図面の簡単な説明】
【００２０】
【図１】本考案の一実施例を示す説明面図である。
【図２】図１の一部切り欠いた平面図である。
【図３】冷却ファンを示す斜視図である。
【図４】風力ダンパーの設置状態を示す風道の断面図である。
【図５】風力ダンパーの開閉作用を示すもので、（ａ）は、発電機１側から建屋８の外へ通風する方向に反転させた状態、（ｂ）は、発電機１の筐体４側から風道５側への通風を遮断する方向に反転させた状態を示す説明断面図である。
【図６】風力ダンパーの反転状態を示すもので、（ａ）は、発電機１側から建屋８の外へ通風する方向に反転させた状態、（ｂ）は、発電機１の筐体４側から風道５側への通風を遮断する方向に反転させた状態を示す説明断面図である。
【図７】従来の熱排気装置を示す説明図である。
【符号の説明】
【００２１】
１…発電機、２…駆動軸、３…遠心ファン、４…筐体、５…風道、８…建屋、１１…ロータ、１２…ステータ、１３…ボス、１４…風力ダンパー、１５…空気取り入れ口、１６…枠体、１７、１８…軸受、１９…仕切壁、２０…仕切壁の開口、２１…ストッパー通過溝、２２…反転軸、２４…ハンドル、２６…係止段部、２７…点検口、２８…点検口の扉、３２…ダンパー片、３３…筒状体。
【図１】
0003145540.tif 000003
【図２】
0003145540.tif 000004
【図３】
0003145540.tif 000005
【図４】
0003145540.tif 000006
【図５】
0003145540.tif 000007
【図６】
0003145540.tif 000008
【図７】
0003145540.tif 000009